(57)【要約】      （修正有）【課題】スポーツ活動中に使用される靴を提供する。【解決手段】靴１００の着用者の足を中に受容するアッパー１０２であって、足の上部部分をカバーするクロージャー１１０およびタン１１２を備えるアッパーと；クロージャーの対向する縁部に結合される少なくとも１本のワイヤ紐１１８であって、少なくとも１本のワイヤ紐は、クロージャーの対向する縁部を引いてより近接させることにより、足周りでクロージャーを引き締めるように構成されている、少なくとも１本のワイヤ紐と；少なくとも１本のワイヤ紐に結合される少なくとも１本の支持ワイヤであって、少なくとも１本の支持ワイヤは、少なくとも１本のワイヤ紐が足周りでクロージャーを引き締めるときに少なくとも１本の支持ワイヤがアッパーの外側面、底面および内側面周りで引き締まるように、アッパーの外側面、底面および内側面周りに巻付く、少なくとも１本の支持ワイヤとを備える、靴。【選択図】図１
2016221232.tif 000002
【特許請求の範囲】
【請求項１】
靴の着用者の足を中に受容するように構成されるアッパーであって、該アッパーは、該足の上部部分をカバーするように構成されるクロージャーおよびタンを備える、アッパーと、
該クロージャーの対向する縁部に結合される少なくとも１本のワイヤ紐であって、該少なくとも１本のワイヤ紐は、該クロージャーの該対向する縁部を引いてより近接させることにより、該足周りで該クロージャーを引き締めるように構成されている、少なくとも１本のワイヤ紐と、
該少なくとも１本のワイヤ紐に結合される少なくとも１本の支持ワイヤであって、該少なくとも１本の支持ワイヤは、該少なくとも１本のワイヤ紐が該足周りで該クロージャーを引き締めるときに該少なくとも１本の支持ワイヤが該アッパーの外側面、底面および内側面周りで引き締まるように、該アッパーの該外側面、底面および内側面周りに巻付く、少なくとも１本の支持ワイヤと
を備える、靴。
【請求項２】
前記タンに結合されるリールアセンブリをさらに備える、請求項１に記載の靴であって、前記少なくとも１本のワイヤ紐は、該リールアセンブリにさらに結合され、その結果、該リールアセンブリが第１の方向に回されるときに該少なくとも１本のワイヤ紐が前記クロージャーの前記対向する縁部を引いてより近接させ、それによって、前記アッパーの前記外側面、底面および内側面周りの前記少なくとも１本の支持ワイヤを引き締める、靴。
【請求項３】
前記リールアセンブリが前記第１の方向と逆の第２の方向に回されるとき、前記少なくとも１本のワイヤ紐は徐々に緩み、それによって、前記アッパーの前記外側面、底面および内側面周りの前記少なくとも１本の支持ワイヤを徐々に緩める、請求項２に記載の靴。
【請求項４】
前記リールアセンブリは、スプール部材と、該スプール部材に軸方向に結合されるノブとを備え、該ノブは、前記少なくとも１本のワイヤ紐を解放するために該スプール部材から離されるように軸方向に上昇させられ、それによって、前記アッパーの前記外側面、底面および内側面周りの前記少なくとも１本の支持ワイヤを解放するように構成される、請求項２に記載の靴。
【請求項５】
前記アッパーの前記外側面、底面および内側面周りに巻付くサドルをさらに備える、請求項１に記載の靴であって、該サドルは、前記少なくとも１本の支持ワイヤが該アッパーの該外側面、底面および内側面周りで引き締まるときに該サドルも該アッパーの該外側面、底面および内側面周りで引き締まるように、該少なくとも１本の支持ワイヤを中に受容するための少なくとも１つのチャンネルを備える、靴。
【請求項６】
前記クロージャーの対向する第１の縁部に結合される第１のセットの結合メカニズムと、
該クロージャーの対向する第２の縁部に結合される第２のセットの結合メカニズムと
をさらに備える、請求項１に記載の靴であって、該第１および第２のセットの結合メカニズムは、前記少なくとも１本のワイヤ紐を前記少なくとも１本の支持ワイヤに結合する、靴。
【請求項７】
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本の支持ワイヤは、第１、第２および第３の支持ワイヤを備え、該第１の支持ワイヤは、該第１の結合メカニズムに結合される第１の端部と、該第４の結合メカニズムに結合される第２の端部とを有し、該第２の支持ワイヤは、該第２の結合メカニズムに結合される第１の端部と、該第５の結合メカニズムに結合される第２の端部とを有し、該第３の支持ワイヤは、該第３の結合メカニズムに結合される第１の端部と、該第６の結合メカニズムに結合される第２の端部とを有する、請求項６に記載の靴。
【請求項８】
ソールをさらに備える、請求項１に記載の靴であって、該ソールは、
前記アッパーの前記底面の前方部分に取り付けられる前方ソール部分と、
該アッパーの該底面のヒール部分に取り付けられるヒールソール部分と
を備え、
前記少なくとも１本の支持ワイヤは、該アッパーの該底面の中間部分周りに巻付き、該中間部分は、該前方部分およびヒール部分の間に位置する、靴。
【請求項９】
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、請求項８に記載の靴。
【請求項１０】
前記第２および第３の材料は、相互に異なる成分を有する、請求項９に記載の靴。
【請求項１１】
前記第１の材料は、発泡熱可塑性ポリウレタン（ｅＴＰＵ）を含む、請求項９に記載の靴。
【請求項１２】
前記前方アウトソール部分およびヒールアウトソール部分の間に配置されかつそれらに結合される土踏まずアウトソール部分をさらに備え、それにより、該土踏まずアウトソール部分と、該前方ソール部分およびヒールソール部分の間に位置する前記アッパーの前記底面の一部との間に窓部を形成する、請求項９に記載の靴。
【請求項１３】
前記前方、中間およびヒールアウトソール部分の底面上に位置する複数の牽引要素をさらに備える、請求項１２に記載の靴。
【請求項１４】
前記第１の材料を含み、かつ前記前方ミッドソールおよびヒールミッドソールの間に配置される土踏まずミッドソールと、
前記第３の材料を含み、かつ前記前方ミッドソール補強構造およびヒールミッドソール補強構造の間に配置される土踏まずミッドソール補強構造であって、該土踏まずミッドソール補強構造は、該土踏まずミッドソールの少なくとも一部を補強する、土踏まずミッドソール補強構造と
をさらに備える、請求項９に記載の靴。
【請求項１５】
前記少なくとも１本の支持ワイヤは、前記アッパーの前記内側面から、前記土踏まずミッドソールおよび土踏まずミッドソール補強構造の下、そして該アッパーの前記外側面まで進む、請求項１４に記載の靴。
【請求項１６】
前記少なくとも１本の支持ワイヤは、少なくとも１本のワイヤループを含む、請求項１に記載の靴。
【請求項１７】
ゴルフ靴の着用者の足を中に受容するように構成されるアッパーであって、該アッパーは、該足の上部部分をカバーするように構成されるクロージャーおよびタンを備える、アッパーと、
リールアセンブリと、該リールアセンブリに結合される少なくとも１本のワイヤ紐と、
サドルと、該サドルに結合される少なくとも１本のサドルワイヤとを備える巻付きサドルアセンブリであって、該サドルは、該アッパーの外側面、底面および内側面周りに巻付き、該少なくとも１本のサドルワイヤは、該リールアセンブリが第１の方向に回されるときに該サドルが該アッパーの該外側面、底面および内側面周りで引き締まるように、該少なくとも１本のワイヤ紐に結合される、巻付きサドルアセンブリと、
前方ソール部分とヒールソール部分とを備えるソールであって、該サドルは、該前方ソール部分およびヒールソール部分の間に位置する、該アッパーの該底面の中間部分周りに巻付く、ソールと、
該前方ソール部分およびヒールソール部分の底面上に配置される複数の牽引要素と
を備える、ゴルフ靴。
【請求項１８】
前記リールアセンブリが前記第１の方向と逆の第２の方向に回されるとき、前記少なくとも１本のワイヤ紐は、徐々に緩み、それによって、前記アッパーの前記外側面、底面および内側面周りの前記少なくとも１本のサドルワイヤを徐々に緩める、請求項１７に記載のゴルフ靴。
【請求項１９】
前記リールアセンブリは、スプール部材と、該スプール部材に軸方向に結合されるノブとを備え、該ノブは、前記少なくとも１本のワイヤ紐を解放するために該スプール部材から離されるように軸方向に上昇させられ、それによって前記アッパーの前記外側面、底面および内側面周りの前記少なくとも１本のサドルワイヤを解放するように構成される、請求項１７に記載のゴルフ靴。
【請求項２０】
前記サドルは、前記少なくとも１本のサドルワイヤを中に受容するための少なくとも１つのチャンネルを備え、該少なくとも１本のサドルワイヤは、前記アッパーの前記外側面、底面および内側面周りに巻付くように該サドルの全長を進み、その結果、該少なくとも１本のサドルワイヤが該アッパーの該外側面、底面および内側面周りで引き締まるときに該サドルも該アッパーの該外側面、底面および内側面周りで引き締まる、請求項１７に記載のゴルフ靴。
【請求項２１】
前記クロージャーの対向する第１の縁部に結合される第１のセットの結合メカニズムと、
該クロージャーの対向する第２の縁部に結合される第２のセットの結合メカニズムと
をさらに備える、請求項１７に記載のゴルフ靴であって、該第１および第２のセットの結合メカニズムは、前記少なくとも１本のワイヤ紐を前記少なくとも１本のサドルワイヤに結合する、ゴルフ靴。
【請求項２２】
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本のサドルワイヤは、第１、第２および第３のワイヤループを備え、該第１のワイヤループは、該第１の結合メカニズムに結合される第１の端部と、該第４の結合メカニズムに結合される第２の端部とを有し、該第２のワイヤループは、該第２の結合メカニズムに結合される第１の端部と、該第５の結合メカニズムに結合される第２の端部とを有し、該第３のワイヤループは、該第３の結合メカニズムに結合される第１の端部と、該第６の結合メカニズムに結合される第２の端部とを有する、請求項２１に記載のゴルフ靴。
【請求項２３】
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、請求項１７に記載のゴルフ靴。
【請求項２４】
前記第２および第３の材料は、相互に異なる成分を有する、請求項２３に記載のゴルフ靴。
【請求項２５】
前記第１の材料は、発泡熱可塑性ポリウレタン（ｅＴＰＵ）を含む、請求項２３に記載のゴルフ靴。
【請求項２６】
前記前方アウトソール部分およびヒールアウトソール部分の間に配置されかつそれらに結合される土踏まずアウトソール部分をさらに備える、請求項２３に記載のゴルフ靴であって、該土踏まずアウトソール部分は、該土踏まずアウトソール部分と、該前方ソール部分およびヒールソール部分の間に位置する、前記アッパーの前記底面の一部との間に窓部を形成する、ゴルフ靴。
【請求項２７】
前記土踏まずアウトソール部分の底面上に配置される第２の複数の牽引要素をさらに備える、請求項２６に記載のゴルフ靴。
【請求項２８】
前記第１の材料を含み、かつ前記前方ミッドソールおよびヒールミッドソールの間に配置される土踏まずミッドソールと、
前記第３の材料を含み、かつ前記前方ミッドソール補強構造およびヒールミッドソール補強構造の間に配置される土踏まずミッドソール補強構造であって、該土踏まずミッドソール補強構造は、該土踏まずミッドソールの少なくとも一部を補強する、土踏まずミッドソール補強構造と
をさらに備える、請求項２３に記載のゴルフ靴。
【請求項２９】
靴の着用者の足を中に受容するように構成されるアッパーを提供することであって、該アッパーは、該足の上部部分をカバーするように構成されるクロージャーおよびタンを備える、ことと、
リールアセンブリを該タンに結合することと、
少なくとも１本のワイヤ紐を該リールアセンブリに結合することと、
該アッパーの外側面、底面および内側面周りにサドルを巻付けることであって、該サドルは、該サドルに結合される少なくとも１本のサドルワイヤを備える、ことと、
該リールアセンブリが第１の方向に回されるときに該サドルが該アッパーの該外側面、底面および内側面周りで引き締まるように、該少なくとも１本のサドルワイヤを該少なくとも１本のワイヤ紐に結合することと、
前方ソール部分を該アッパーの該底面の前方部分に結合することと、
ヒールソール部分を該アッパーの該底面のヒール部分に結合することであって、該サドルは、該前方部分およびヒール部分の間に位置する、該アッパーの該底面の中間部分周りに巻付く、ことと
を含む、靴を製造する方法。
【請求項３０】
前記少なくとも１本のサドルワイヤが前記サドルの全長を進むことにより前記アッパーの前記外側面、底面および内側面周りに巻付くように、該少なくとも１本のサドルワイヤを中に受容するための少なくとも１つのチャンネルを前記サドル内に提供することをさらに含む、請求項２９に記載の靴を製造する方法であって、該少なくとも１本のサドルワイヤが該アッパーの該外側面、底面および内側面周りで引き締まるときに該サドルも該アッパーの該外側面、底面および内側面周りで引き締まる、靴を製造する方法。
【請求項３１】
前記クロージャーの対向する第１の縁部に結合される第１のセットの結合メカニズムを提供することと、
該クロージャーの対向する第２の縁部に結合される第２のセットの結合メカニズムを提供することであって、該第１および第２のセットの結合メカニズムは、前記少なくとも１本のワイヤ紐を前記少なくとも１本のサドルワイヤに結合する、ことと
をさらに含む、請求項２９に記載の靴を製造する方法。
【請求項３２】
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本のサドルワイヤは、第１、第２および第３のワイヤループを備え、該第１のワイヤループは、該第１の結合メカニズムに結合される第１の端部と、該第４の結合メカニズムに結合される第２の端部とを有し、該第２のワイヤループは、該第２の結合メカニズムに結合される第１の端部と、該第５の結合メカニズムに結合される第２の端部とを有し、該第３のワイヤループは、該第３の結合メカニズムに結合される第１の端部と、該第６の結合メカニズムに結合される第２の端部とを有する、請求項３１に記載の靴を製造する方法。
【請求項３３】
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、請求項２９に記載の靴を製造する方法。
【請求項３４】
前記第２および第３の材料は、相互に異なる成分を有する、請求項３３に記載の靴を製造する方法。
【請求項３５】
前記第１の材料は、発泡熱可塑性ポリウレタン（ｅＴＰＵ）を含む、請求項３３に記載の靴を製造する方法。
【請求項３６】
前記前方アウトソール部分およびヒールアウトソール部分の間に配置されかつそれらに結合される土踏まずアウトソール部分を提供することをさらに含む、請求項３３に記載の靴を製造する方法であって、該土踏まずアウトソール部分は、該土踏まずアウトソール部分と、前記前方ソール部分およびヒールソール部分の間に位置する、前記アッパーの前記底面の一部との間に窓部を形成する、方法。
【請求項３７】
前記前方ミッドソールおよびヒールミッドソールの間に、前記第１の材料を含む土踏まずミッドソールを提供することと、
前記前方ミッドソール補強構造およびヒールミッドソール補強構造の間に、前記第３の材料を含む土踏まずミッドソール補強構造を提供することであって、該土踏まずミッドソール補強構造は、該土踏まずミッドソールの少なくとも一部を補強する、ことと
をさらに含む、請求項３３に記載の靴を製造する方法。
【請求項３８】
前記前方、中間およびヒールアウトソール部分の底面上に複数の牽引要素を提供することをさらに含む、請求項２９に記載の靴を製造する方法。
【発明の詳細な説明】
【技術分野】
【０００１】
（関連特許出願）
本願は、２０１５年６月３日に出願された「ＳＨＯＥＳ  ＨＡＶＩＮＧ  ＷＲＡＰ―ＡＲＯＵＮＤ  ＷＩＲＥ  ＳＵＰＰＯＲＴ  ＡＮＤ  ＴＯＲＳＩＯＮＡＬ  ＣＯＮＴＲＯＬ」というタイトルの仮出願第６２／１７０，３５３号の米国特許法§１１９（ｅ）の下での優先権を主張し、この出願は、参照により、その全体が本明細書に援用される。
【０００２】
（発明の分野）
本発明は、概して、スポーツ活動中に使用される靴に関連し、より具体的には、特定のスポーツ活動（例えば、ゴルフ）中の靴のパフォーマンスおよび他の特性を最適化する増大した支持および／またはねじれ制御の特質および特徴を有する１足の靴に関連する。
【背景技術】
【０００３】
（発明の背景）
今日、多くのスポーツ活動が、靴を着用する選手に向上した安定性、牽引力およびパフォーマンスを提供する靴を必要とする。例えば、ゴルフにおいて、スイング中のゴルファーのフットワークは、複雑であり、ゴルファーの靴によって吸収される、耐えられる、および／または補償される必要がある、ゴルファーの足に対する多くの異なる力を生成する。概して、たいていのゴルフショットについて、ゴルファーの体重は、最初、各足に５０／５０でかかり、ゴルファーの体重は、典型的に、各足の底面区域全域で一様に分布される。バックスイング中、ゴルファーの体重の大部分は、典型的に、ゴルファーの後足のアウトサイド（外側面）に移る一方で、前足は、バランスのために一部の体重を維持する。バックスイングは、後足前部を外向きにかつ後ヒールを内向きにスピンまたは枢動させる傾向がある力を与え、この力は、ゴルファーの後足の安定を保つために、後足の地面との接触によって抵抗されなければならない。
【０００４】
クラブのダウンスイング中に、ゴルファーの体重は、移り始め、ゴルフボールが打撃されるまでに、ゴルファーの体重は、後ろ足と前足との間で再び一様に分布されるか、または前足にさらに移り始めた。スイングの最終姿勢時に、ゴルファーの体重のほとんどは、前足に存在して、インサイド（内側面）より多くの体重が前足のアウトサイド（外側面）に存在し、ゴルファーの後足のかかとは、地面の上に上げられて後ろ向きに向く。適切なスイングにおいて、ゴルファーの後ろ足のうちつま先部分のみが最終時に地面との接触を維持する。したがって、最終姿勢において、ゴルファーの後ろ靴のヒールおよびほとんどのアウトソールは、地面から離れて、つま先部分のみがバランスのために地面に接触している。
【０００５】
上述されているように、ゴルファーの足は、ゴルファーがバランスをとり続けるためにゴルフスイング中の移動を複雑にする一方で、ゴルフボールを打撃するためのトルクおよびクラブヘッド速度を生成する。ゴルフスイングの様々な段階中に、様々な方向への有意な力が左靴および右靴に働く。したがって、靴が、これらの力に耐えて適切に反応しかつゴルフスイング中のゴルファーのフットワークのパフォーマンスを最大化するために、向上した安定性、牽引力およびねじれ制御を提供することが望ましい。同様の状況が、例えば野球（例えば、バッターのスイング中）および陸上競技（例えば、トラック上でのスタートおよび走行中）などの他のスポーツ中に存在する。
【０００６】
上記の例示的なニーズに対処するために、靴の様々な特性（例えば、土踏まず支持、ねじれ、可撓性、硬度、重量など）を最適化し、それにより、概して、最良の快適性、フィット性、安定性およびパフォーマンスを靴の着用者に、より具体的には、靴を着用しているスポーツ活動中の選手に提供することが望ましい。
【発明の概要】
【課題を解決するための手段】
【０００７】
本発明は、例えば、以下を提供する：
（項目１）
靴の着用者の足を中に受容するように構成されるアッパーであって、該アッパーは、該足の上部部分をカバーするように構成されるクロージャーおよびタンを備える、アッパーと、
該クロージャーの対向する縁部に結合される少なくとも１本のワイヤ紐であって、該少なくとも１本のワイヤ紐は、該クロージャーの該対向する縁部を引いてより近接させることにより、該足周りで該クロージャーを引き締めるように構成されている、少なくとも１本のワイヤ紐と、
該少なくとも１本のワイヤ紐に結合される少なくとも１本の支持ワイヤであって、該少なくとも１本の支持ワイヤは、該少なくとも１本のワイヤ紐が該足周りで該クロージャーを引き締めるときに該少なくとも１本の支持ワイヤが該アッパーの外側面、底面および内側面周りで引き締まるように、該アッパーの該外側面、底面および内側面周りに巻付く、少なくとも１本の支持ワイヤと
を備える、靴。
（項目２）
前記タンに結合されるリールアセンブリをさらに備える、上記項目に記載の靴であって、前記少なくとも１本のワイヤ紐は、該リールアセンブリにさらに結合され、その結果、該リールアセンブリが第１の方向に回されるときに該少なくとも１本のワイヤ紐が前記クロージャーの前記対向する縁部を引いてより近接させ、それによって、前記アッパーの前記外側面、底面および内側面周りの前記少なくとも１本の支持ワイヤを引き締める、靴。
（項目３）
前記リールアセンブリが前記第１の方向と逆の第２の方向に回されるとき、前記少なくとも１本のワイヤ紐は徐々に緩み、それによって、前記アッパーの前記外側面、底面および内側面周りの前記少なくとも１本の支持ワイヤを徐々に緩める、上記項目のいずれかに記載の靴。
（項目４）
前記リールアセンブリは、スプール部材と、該スプール部材に軸方向に結合されるノブとを備え、該ノブは、前記少なくとも１本のワイヤ紐を解放するために該スプール部材から離されるように軸方向に上昇させられ、それによって、前記アッパーの前記外側面、底面および内側面周りの前記少なくとも１本の支持ワイヤを解放するように構成される、上記項目のいずれかに記載の靴。
（項目５）
前記アッパーの前記外側面、底面および内側面周りに巻付くサドルをさらに備える、上記項目のいずれかに記載の靴であって、該サドルは、前記少なくとも１本の支持ワイヤが該アッパーの該外側面、底面および内側面周りで引き締まるときに該サドルも該アッパーの該外側面、底面および内側面周りで引き締まるように、該少なくとも１本の支持ワイヤを中に受容するための少なくとも１つのチャンネルを備える、靴。
（項目６）
前記クロージャーの対向する第１の縁部に結合される第１のセットの結合メカニズムと、
該クロージャーの対向する第２の縁部に結合される第２のセットの結合メカニズムと
をさらに備える、上記項目のいずれかに記載の靴であって、該第１および第２のセットの結合メカニズムは、前記少なくとも１本のワイヤ紐を前記少なくとも１本の支持ワイヤに結合する、靴。
（項目７）
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本の支持ワイヤは、第１、第２および第３の支持ワイヤを備え、該第１の支持ワイヤは、該第１の結合メカニズムに結合される第１の端部と、該第４の結合メカニズムに結合される第２の端部とを有し、該第２の支持ワイヤは、該第２の結合メカニズムに結合される第１の端部と、該第５の結合メカニズムに結合される第２の端部とを有し、該第３の支持ワイヤは、該第３の結合メカニズムに結合される第１の端部と、該第６の結合メカニズムに結合される第２の端部とを有する、上記項目のいずれかに記載の靴。
（項目８）
ソールをさらに備える、上記項目のいずれかに記載の靴であって、該ソールは、
前記アッパーの前記底面の前方部分に取り付けられる前方ソール部分と、
該アッパーの該底面のヒール部分に取り付けられるヒールソール部分と
を備え、
前記少なくとも１本の支持ワイヤは、該アッパーの該底面の中間部分周りに巻付き、該中間部分は、該前方部分およびヒール部分の間に位置する、靴。
（項目９）
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、上記項目のいずれかに記載の靴。
（項目１０）
前記第２および第３の材料は、相互に異なる成分を有する、上記項目のいずれかに記載の靴。
（項目１１）
前記第１の材料は、発泡熱可塑性ポリウレタン（ｅＴＰＵ）を含む、上記項目のいずれかに記載の靴。
（項目１２）
前記前方アウトソール部分およびヒールアウトソール部分の間に配置されかつそれらに結合される土踏まずアウトソール部分をさらに備え、それにより、該土踏まずアウトソール部分と、該前方ソール部分およびヒールソール部分の間に位置する前記アッパーの前記底面の一部との間に窓部を形成する、上記項目のいずれかに記載の靴。
（項目１３）
前記前方、中間およびヒールアウトソール部分の底面上に位置する複数の牽引要素をさらに備える、上記項目のいずれかに記載の靴。
（項目１４）
前記第１の材料を含み、かつ前記前方ミッドソールおよびヒールミッドソールの間に配置される土踏まずミッドソールと、
前記第３の材料を含み、かつ前記前方ミッドソール補強構造およびヒールミッドソール補強構造の間に配置される土踏まずミッドソール補強構造であって、該土踏まずミッドソール補強構造は、該土踏まずミッドソールの少なくとも一部を補強する、土踏まずミッドソール補強構造と
をさらに備える、上記項目のいずれかに記載の靴。
（項目１５）
前記少なくとも１本の支持ワイヤは、前記アッパーの前記内側面から、前記土踏まずミッドソールおよび土踏まずミッドソール補強構造の下、そして該アッパーの前記外側面まで進む、上記項目のいずれかに記載の靴。
（項目１６）
前記少なくとも１本の支持ワイヤは、少なくとも１本のワイヤループを含む、上記項目のいずれかに記載の靴。
（項目１７）
ゴルフ靴の着用者の足を中に受容するように構成されるアッパーであって、該アッパーは、該足の上部部分をカバーするように構成されるクロージャーおよびタンを備える、アッパーと、
リールアセンブリと、該リールアセンブリに結合される少なくとも１本のワイヤ紐と、
サドルと、該サドルに結合される少なくとも１本のサドルワイヤとを備える巻付きサドルアセンブリであって、該サドルは、該アッパーの外側面、底面および内側面周りに巻付き、該少なくとも１本のサドルワイヤは、該リールアセンブリが第１の方向に回されるときに該サドルが該アッパーの該外側面、底面および内側面周りで引き締まるように、該少なくとも１本のワイヤ紐に結合される、巻付きサドルアセンブリと、
前方ソール部分とヒールソール部分とを備えるソールであって、該サドルは、該前方ソール部分およびヒールソール部分の間に位置する、該アッパーの該底面の中間部分周りに巻付く、ソールと、
該前方ソール部分およびヒールソール部分の底面上に配置される複数の牽引要素と
を備える、ゴルフ靴。
（項目１８）
前記リールアセンブリが前記第１の方向と逆の第２の方向に回されるとき、前記少なくとも１本のワイヤ紐は、徐々に緩み、それによって、前記アッパーの前記外側面、底面および内側面周りの前記少なくとも１本のサドルワイヤを徐々に緩める、上記項目のいずれかに記載のゴルフ靴。
（項目１９）
前記リールアセンブリは、スプール部材と、該スプール部材に軸方向に結合されるノブとを備え、該ノブは、前記少なくとも１本のワイヤ紐を解放するために該スプール部材から離されるように軸方向に上昇させられ、それによって前記アッパーの前記外側面、底面および内側面周りの前記少なくとも１本のサドルワイヤを解放するように構成される、上記項目のいずれかに記載のゴルフ靴。
（項目２０）
前記サドルは、前記少なくとも１本のサドルワイヤを中に受容するための少なくとも１つのチャンネルを備え、該少なくとも１本のサドルワイヤは、前記アッパーの前記外側面、底面および内側面周りに巻付くように該サドルの全長を進み、その結果、該少なくとも１本のサドルワイヤが該アッパーの該外側面、底面および内側面周りで引き締まるときに該サドルも該アッパーの該外側面、底面および内側面周りで引き締まる、上記項目のいずれかに記載のゴルフ靴。
（項目２１）
前記クロージャーの対向する第１の縁部に結合される第１のセットの結合メカニズムと、
該クロージャーの対向する第２の縁部に結合される第２のセットの結合メカニズムと
をさらに備える、上記項目のいずれかに記載のゴルフ靴であって、該第１および第２のセットの結合メカニズムは、前記少なくとも１本のワイヤ紐を前記少なくとも１本のサドルワイヤに結合する、ゴルフ靴。
（項目２２）
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本のサドルワイヤは、第１、第２および第３のワイヤループを備え、該第１のワイヤループは、該第１の結合メカニズムに結合される第１の端部と、該第４の結合メカニズムに結合される第２の端部とを有し、該第２のワイヤループは、該第２の結合メカニズムに結合される第１の端部と、該第５の結合メカニズムに結合される第２の端部とを有し、該第３のワイヤループは、該第３の結合メカニズムに結合される第１の端部と、該第６の結合メカニズムに結合される第２の端部とを有する、上記項目のいずれかに記載のゴルフ靴。
（項目２３）
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、上記項目のいずれかに記載のゴルフ靴。
（項目２４）
前記第２および第３の材料は、相互に異なる成分を有する、上記項目のいずれかに記載のゴルフ靴。
（項目２５）
前記第１の材料は、発泡熱可塑性ポリウレタン（ｅＴＰＵ）を含む、上記項目のいずれかに記載のゴルフ靴。
（項目２６）
前記前方アウトソール部分およびヒールアウトソール部分の間に配置されかつそれらに結合される土踏まずアウトソール部分をさらに備える、上記項目のいずれかに記載のゴルフ靴であって、該土踏まずアウトソール部分は、該土踏まずアウトソール部分と、該前方ソール部分およびヒールソール部分の間に位置する、前記アッパーの前記底面の一部との間に窓部を形成する、ゴルフ靴。
（項目２７）
前記土踏まずアウトソール部分の底面上に配置される第２の複数の牽引要素をさらに備える、上記項目のいずれかに記載のゴルフ靴。
（項目２８）
前記第１の材料を含み、かつ前記前方ミッドソールおよびヒールミッドソールの間に配置される土踏まずミッドソールと、
前記第３の材料を含み、かつ前記前方ミッドソール補強構造およびヒールミッドソール補強構造の間に配置される土踏まずミッドソール補強構造であって、該土踏まずミッドソール補強構造は、該土踏まずミッドソールの少なくとも一部を補強する、土踏まずミッドソール補強構造と
をさらに備える、上記項目のいずれかに記載のゴルフ靴。
（項目２９）
靴の着用者の足を中に受容するように構成されるアッパーを提供することであって、該アッパーは、該足の上部部分をカバーするように構成されるクロージャーおよびタンを備える、ことと、
リールアセンブリを該タンに結合することと、
少なくとも１本のワイヤ紐を該リールアセンブリに結合することと、
該アッパーの外側面、底面および内側面周りにサドルを巻付けることであって、該サドルは、該サドルに結合される少なくとも１本のサドルワイヤを備える、ことと、
該リールアセンブリが第１の方向に回されるときに該サドルが該アッパーの該外側面、底面および内側面周りで引き締まるように、該少なくとも１本のサドルワイヤを該少なくとも１本のワイヤ紐に結合することと、
前方ソール部分を該アッパーの該底面の前方部分に結合することと、
ヒールソール部分を該アッパーの該底面のヒール部分に結合することであって、該サドルは、該前方部分およびヒール部分の間に位置する、該アッパーの該底面の中間部分周りに巻付く、ことと
を含む、靴を製造する方法。
（項目３０）
前記少なくとも１本のサドルワイヤが前記サドルの全長を進むことにより前記アッパーの前記外側面、底面および内側面周りに巻付くように、該少なくとも１本のサドルワイヤを中に受容するための少なくとも１つのチャンネルを前記サドル内に提供することをさらに含む、上記項目のいずれかに記載の靴を製造する方法であって、該少なくとも１本のサドルワイヤが該アッパーの該外側面、底面および内側面周りで引き締まるときに該サドルも該アッパーの該外側面、底面および内側面周りで引き締まる、靴を製造する方法。
（項目３１）
前記クロージャーの対向する第１の縁部に結合される第１のセットの結合メカニズムを提供することと、
該クロージャーの対向する第２の縁部に結合される第２のセットの結合メカニズムを提供することであって、該第１および第２のセットの結合メカニズムは、前記少なくとも１本のワイヤ紐を前記少なくとも１本のサドルワイヤに結合する、ことと
をさらに含む、上記項目のいずれかに記載の靴を製造する方法。
（項目３２）
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本のサドルワイヤは、第１、第２および第３のワイヤループを備え、該第１のワイヤループは、該第１の結合メカニズムに結合される第１の端部と、該第４の結合メカニズムに結合される第２の端部とを有し、該第２のワイヤループは、該第２の結合メカニズムに結合される第１の端部と、該第５の結合メカニズムに結合される第２の端部とを有し、該第３のワイヤループは、該第３の結合メカニズムに結合される第１の端部と、該第６の結合メカニズムに結合される第２の端部とを有する、上記項目のいずれかに記載の靴を製造する方法。
（項目３３）
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、上記項目のいずれかに記載の靴を製造する方法。
（項目３４）
前記第２および第３の材料は、相互に異なる成分を有する、上記項目のいずれかに記載の靴を製造する方法。
（項目３５）
前記第１の材料は、発泡熱可塑性ポリウレタン（ｅＴＰＵ）を含む、上記項目のいずれかに記載の靴を製造する方法。
（項目３６）
前記前方アウトソール部分およびヒールアウトソール部分の間に配置されかつそれらに結合される土踏まずアウトソール部分を提供することをさらに含む、上記項目のいずれかに記載の靴を製造する方法であって、該土踏まずアウトソール部分は、該土踏まずアウトソール部分と、前記前方ソール部分およびヒールソール部分の間に位置する、前記アッパーの前記底面の一部との間に窓部を形成する、方法。
（項目３７）
前記前方ミッドソールおよびヒールミッドソールの間に、前記第１の材料を含む土踏まずミッドソールを提供することと、
前記前方ミッドソール補強構造およびヒールミッドソール補強構造の間に、前記第３の材料を含む土踏まずミッドソール補強構造を提供することであって、該土踏まずミッドソール補強構造は、該土踏まずミッドソールの少なくとも一部を補強する、ことと
をさらに含む、上記項目のいずれかに記載の靴を製造する方法。
（項目３８）
前記前方、中間およびヒールアウトソール部分の底面上に複数の牽引要素を提供することをさらに含む、上記項目のいずれかに記載の靴を製造する方法。
【０００８】
（摘要）
着用者の足を中に受容するように構成されるアッパーであって、アッパーは、足の上部部分をカバーするように構成されているクロージャーおよびタンを備える、アッパーと；クロージャーの対向する縁部に結合される少なくとも１本のワイヤ紐であって、少なくとも１本のワイヤ紐は、クロージャーの対向する縁部を引いてより近接させることにより、足周りでクロージャーを引き締めるように構成されており、対向する縁部を解放し、そして対向する縁部が相互から離れて移動することにより足周りのクロージャーを緩めることを可能にするように構成されている、少なくとも１本のワイヤ紐と；少なくとも１本のワイヤ紐に結合される少なくとも１本の支持ワイヤであって、少なくとも１本の支持ワイヤは、少なくとも１本のワイヤ紐が足周りでクロージャーを引き締めるときに少なくとも１本の支持ワイヤがアッパーの外側面、底面および内側面周りで引き締まるように、アッパーの外側面、底面および内側面周りに巻付く、少なくとも１本の支持ワイヤとを含む靴が提供される。
【０００９】
（本発明の要旨）
本発明は、改善された快適性、フィット性、安定性およびパフォーマンスを有する靴を靴の着用者に提供することによって、上記ニーズおよび他のニーズに対処する。
【００１０】
本発明の１つの実施形態において、靴の着用者の足を中に受容するように構成されるアッパーであって、アッパーは、足の上部部分をカバーするように構成されているクロージャーおよびタンを備える、アッパーと；クロージャーの対向する縁部に結合される少なくとも１本のワイヤ紐であって、少なくとも１本のワイヤ紐は、クロージャーの対向する縁部を引いてより近接させることにより、足周りでクロージャーを引き締めるように構成されており、対向する縁部を解放し、そして対向する縁部が相互から離れて移動することにより足周りのクロージャーを緩めることを可能にするように構成されている、少なくとも１本のワイヤ紐と；少なくとも１本のワイヤ紐に結合される少なくとも１本の支持ワイヤであって、少なくとも１本の支持ワイヤは、少なくとも１本のワイヤ紐が足周りでクロージャーを引き締めるときに少なくとも１本の支持ワイヤがアッパーの外側面、底面および内側面周りで引き締まるように、アッパーの外側面、底面および内側面周りに巻付く、少なくとも１本の支持ワイヤとを含む靴が提供される。
【００１１】
別の実施形態において、本発明は：ゴルフ靴の着用者の足を中に受容するように構成されているアッパーであって、アッパーは、足の上部部分をカバーするように構成されるクロージャーおよびタンを備える、アッパーと；リールアセンブリと、リールアセンブリに結合される少なくとも１本のワイヤ紐と；サドルおよびサドルに結合される少なくとも１本のサドルワイヤを備える巻付きサドルアセンブリであって、サドルは、アッパーの外側面、底面および内側面周りに巻付き、少なくとも１本のサドルワイヤは、リールアセンブリが第１の方向に回されるときにサドルがアッパーの外側面、底面および内側面周りで引き締まるように、少なくとも１本のワイヤ紐に結合される、巻付きサドルアセンブリと；前方ソール部分とヒールソール部分とを備えるソールであって、サドルは、前方ソール部分とヒールソール部分との間に位置する、アッパーの底面の中間部分周りに巻付く、ソールと；前方ソール部分およびヒールソール部分の底面上に配置される複数の牽引要素とを含むゴルフ靴を提供する。
【００１２】
更なる実施形態において、本発明は、靴を製造する方法に向けられており、その方法は:
ゴルフ靴の着用者の足を中に受容するように構成されるアッパーを提供することであって、アッパーは、足の上部部分をカバーするように構成されるクロージャーおよびタンを備える、ことと；リールアセンブリをタンに結合することと；少なくとも１本のワイヤ紐をリールアセンブリに結合することと；アッパーの外側面、底面および内側面周りにサドルを巻付けることであって、サドルは、サドルに結合される少なくとも１本のサドルワイヤを備える、ことと；リールアセンブリが第１の方向に回されるときにサドルがアッパーの外側面、底面および内側面周りで引き締まるように、少なくとも１本のサドルワイヤを少なくとも１本のワイヤ紐に結合することと；前方ソール部分をアッパーの底面の前方部分に結合することと；ヒールソール部分をアッパーの底面のヒール部分に結合することであって、サドルは、前方部分およびヒール部分の間に位置する、アッパーの底面の中間部分に巻付く、こととを含む。
【図面の簡単な説明】
【００１３】
例示的な実施形態の以下の説明において、本願の一部を形成する以下の図に対する参照がなされ、その図において、例示として、本発明が生産および実施され得る具体的な実施形態が示されている。本発明の範囲から逸脱することなく、他の実施形態が利用され得、設計および／または構造的変更がなされ得ることを理解されたい。図は、例示のみの目的のために提供され、本発明の読者の理解を容易にするために本発明の例示的な実施形態を単に描写するものであり、本発明の幅、範囲または適用可能性を限定するものとして考慮されるべきではない。例示の明確さおよび簡単さのためにこれらの図面が必ずしも正寸ではないことに留意されたい。
【図１】図１は、本発明の１つの実施形態に従った左靴の斜視図である。
【図２】図２は、本発明の１つの実施形態に従った、図１の左靴に対応する右靴の平面図である。
【図３】図３は、本発明の１つの実施形態に従った図１の靴の側面図である。
【図４】図４は、本発明の１つの実施形態に従った図１の靴の底面図である。
【図５】図５は、本発明の１つの実施形態に従った巻付きワイヤサドルの斜視図である。
【図６】図６は、本発明の１つの実施形態に従った結合部材の断面側面図であり、結合部材は、その中に包含される２つのワイヤループを有する。
【図７】図７は、本発明の１つの実施形態に従った、ＢＯＡリールベースの紐システムを図５の巻付きワイヤサドルと結合する複数の結合部材の拡大図である。
【図８】図８は、本発明の１つの実施形態に従ったゴルフ靴の側面図である。
【図９】図９は、本発明の１つの実施形態に従った図８のゴルフ靴の底面図である。
【発明を実施するための形態】
【００１４】
（本発明の例示的な実施形態の詳細な説明）
例示的な実施形態の以下の説明において、本願の一部を形成する添付図面に対する参照がなされ、その添付図面には、本発明が実施され得る特定の実施形態の例示として示されている。本発明の範囲から逸脱することなく、他の実施形態が利用され得ることおよび構造的変化がなされ得ることを理解されたい。本発明の様々な実施形態および特徴が、ゴルフ靴のコンテキストで後述されるが、本発明の様々な特徴および利点が他のタイプのスポーツ活動中に使用される靴に適用されることが可能であることは、当業者に明白である。
【００１５】
図１は、本発明の１つの実施形態に従って、左靴１００の斜視図を示している。靴１００は、着用者の足の上部表面をカバーするためのアッパー１０２と、前方ソール部分１０４と、ヒールソール部分１０６とを含み、前方ソール部分１０４およびヒールソール部分１０６は、それぞれ、アッパー１０２の各底面に取り付けられている。図４を参照してより詳細に後述されるように、１つの実施形態において、前方ソール部分１０４およびヒールソール部分１０６は、２つの別個のソール部分であり、それにより、アッパー１０２の中間部分がさらされたままとなる。代替的な実施形態において、図８に示されてより詳細に後述されるように、土踏まずミッドソール補強構造２２１（図８）が、アッパー１０２の底面の土踏まず部分に付けられ、それにより、更なる支持および安定性を靴のこの領域に提供する。
【００１６】
アッパー１０２は、着用者の足（示されていない）が挿入され得る開口部１０８と、アッパー１０２の上部部分が着用者の足のより簡単な挿入のために拡張または拡大されてその後に着用者の足周りで閉じられるかまたは引き締められることを可能にするクロージャー１１０とを含む。可撓タン１１２は、クロージャー１１０の一部を形成し、クロージャー１１０の底部付近のアッパー１０２の下側に留められ、他の態様ではさらされ得る着用者の足の上部表面をカバーするようにクロージャー１１０の上部部分を過ぎて上向きに延在する。当業者に公知であるように、タン１１２は、着用者の足の上部表面上に緩衝性カバーを提供し、クロージャー１１０は、着用者の足が開口部１０８を通して挿入された後に着用者の足周りで靴１００を心地よく固定するように、着用者の足周りで、紐システムを介して引き締められ得る。
【００１７】
図１に示されるように、本発明の１つの実施形態に従って、靴１００は、着用者の足周りでクロージャー１１０およびタン１１２を引き締めて固定するリールベースの紐システム１１４を含む。リールベースの紐システム１１４は、リールアセンブリ１１６と、ワイヤ紐１１８と、紐ガイド１２０および１２２とを含む。リールアセンブリ１１６は、タン１１２の上部部分に取り付けられ、ワイヤ紐１１８を保持するためのスプール部材（示されていない）を含む。より詳細に後述されるように、ワイヤ紐１１８は、複数の紐ガイド１２０に挿通され、これは、さらに、巻付きサドルアセンブリ１２２にリールベースの紐システムを結合するように結合メカニズム１２０として機能する。リールアセンブリが所定の方向（例えば、時計回り）に回されるとき、ワイヤ紐１１８は、スプール部材周りに巻かれてより短くなり、それによって、着用者の足周りでクロージャー１１０を引き締めるようにクロージャー１１０の対向側部に対して紐ガイド１２０および１２１を引いて相互により近接させる。リールベースの紐システムは、当業者に公知であり、例えば、米国特許公開第２０１４／０１２３４４９号および第２０１３／００９２７８０号、ならびに米国特許第８，５１６，６６２号および第８，４６８，６５７号に説明されている。これらは、参照により、その全体が本明細書に援用される。米国特許公開第２０１４／０１２３４４９号に開示されているように、例えば、いくつかの実施形態において、リールアセンブリ１１６は、ノブ（例えば、米国特許公開第２０１４／０１２３４４９号におけるノブ２１８）を含み、ノブは、紐を解放するように緩む方向にスプール部材が惰走することを可能にするためにスプール部材（例えば、米国特許公開第２０１４／０１２３４４９号におけるスプール部材２１６）からノブを離すように軸方向に上昇させられ得る。他の実施形態において、ノブは、紐システムを次第に緩めるように、緩む方向に手動で徐々に回され得る。
【００１８】
より詳細に後述されるように、靴１００は、クロージャー１１０の一部を形成する巻付きサドルアセンブリ１２２をさらに含み、巻付きサドルアセンブリ１２２は、アッパー１０２の下側周りに巻付くサドル１２６の各チャンネル（示されていない）に挿通される１つ以上のワイヤループ１２４を含む。各ワイヤループ１２４は、サドルアセンブリ１２２またはクロージャー１１０の対向側縁部の各紐ガイド／結合メカニズム１２０内に受容される。図１〜図４に示されているように、１つの実施形態において、３つのワイヤループ１２４が、サドル１２６の１つの側縁部に付けられる各結合メカニズム１２０から延在し、サドル１２６の対向側縁部に付けられる対応する結合メカニズム１２０に結合されるようにアッパー１０２の外側面および底面周りに巻付く。ワイヤ紐１１８は、さらに、クロージャー１１０の上部部分付近のクロージャーの対向側縁部に付けられる紐ガイド１２１に挿通され、それにより、着用者の足周りでクロージャー１１０をさらに引き締めて固定する。リールアセンブリ１１６がワイヤ紐１１８を引き締めるように回され、かつサドル１２６およびクロージャー１１０の対向側部上の結合メカニズム１２０および紐ガイド１２１がそれぞれより近接されるとき、ワイヤループ１２４は、足の土踏まずを含む着用者の足の対応する中間部分周りで引き締まるようにぴんと張って引かれる。したがって、巻付きサドルアセンブリ１２２は、クロージャー１１０の一部を形成することに加えて、増大した土踏まず支持と、側方安定性と、着用者の足の中間部分周りのよりぴったりしたフィット性とを提供し、これは、足の疲労を減少させ、それによって、スポーツ活動中の着用者の足の快適性およびパフォーマンスを増大させる。
【００１９】
図２は、本発明の１つの実施形態に従って、図１の左足１００に対応する右足１００’の平面図を示している。右足１００’は、図１の左足１００に対して上述されている特徴と同一の特徴を有する。これらの共通の特徴は、図１と同一の参照数字を用いて指し示されている。図２に示されているように、ワイヤ紐１１８は、タン１１２の上面上に従来の十字交差パターンで縛られる。しかしながら、本発明の様々な実施形態に従って、任意の所望の紐パターンが実装され得ることを理解されたい。ワイヤ紐１１８は、巻付きサドルアセンブリ１２２のサドル１２６の各側縁部に留められている複数（例えば、３つ）の結合メカニズム１２０によってサドル１２６の各側縁部に固定される。ワイヤ紐１１８は、クロージャー１１０の上部部分付近でクロージャー１１０の各側縁部に付けられている紐ガイド１２１にさらに固定される。リールアセンブリ１１６がワイヤ紐１１８を引き締めるように回されるとき、サドル１２６の対向側縁部およびクロージャー１１０の上部部分は、着用者の足周りでアッパー１０２を引き締めるようにより近接される。加えて、アッパー１０２の中間部分の底部周りに巻付くワイヤループ１２４は、足の中間部分および底部土踏まず周りで引き締まることにより、増大した支持およびより心地良いカスタムフィット性を着用者の足周りに提供する。
【００２０】
図３は、本発明の１つの実施形態に従って、図１の靴１００の側面図を示しており、図４は、本発明の１つの実施形態に従って、図１の靴１００の底面図を示している。図３および図４に示されているように、サドルアセンブリ１２２のワイヤループ１２４およびサドル１２６は、前方ソール部分１０４とヒールソール部分１０６との間に位置するアッパー１０２の底部分周りに巻付き、そこには、ソールが存在しない。したがって、ワイヤループ１２４が靴の中間部分周りで引き締められると、上述されているように、靴の増大した土踏まず支持およびよりぴったりしたカスタムフィット性が提供される。増大した土踏まず支持およびカスタムフィット性は、靴の快適性および応答性を増大させ、スポーツ活動中に着用者が経験し得る足の疲労を減少させる。
【００２１】
図４にさらに示されているように、前方ソール１０４およびヒールソール１０６は、様々なパターンで様々なグルーブまたは陥凹１４０を含むことにより、向上した可撓性、グリップまたは牽引力を靴１００の底部に提供し得る。本発明の様々な実施形態に従って、任意の所望のソールパターンが、前方ソール部分１０４およびヒールソール部分１０６上にそれぞれ実装され得ることを理解されたい。加えて、クリート（示されていない）が任意の所望の構成、数および大きさでソール部分１０４および１０６に留められることにより、例えば天然芝または人口芝などの様々な表面上に増大したグリップ作用を提供し得る。
【００２２】
図５は、本発明の１つの実施形態に従って、靴１００から分離されたときの巻付きサドルアセンブリ１２２の斜視図を示している。サドルアセンブリ１２２は、サドル１２６と、サドル１２６内の（破線によって示されている）各チャンネル１２８に挿通されている複数（例えば、３つ）のワイヤループ１２４とを含み、その結果、各ワイヤループ１２４が、サドル１２６の全長を横切ることにより、サドル１２６のそれぞれ対応する端部から外向きに延在し、そこでは、上述されているように、ワイヤループ１２４は、対応する対向する結合部材１２０に結合されることが可能である。代替的な実施形態において、各ワイヤループ１２４は、靴の下側全体にわたって延在する必要はないが、代わりに、サドル１２６の各縁部部分に留められ得（例えば、縫合、接着されるなど）、その結果、ワイヤループ１２４がぴんと張って引かれるときに、上述されているように、サドル１２６も、着用者の足周りでぴんと張って引かれる。１つの実施形態において、アッパー１０２または土踏まずミッドソール補強構造２２１に対するサドル１２６の所望されない滑動または移動を妨げるように、サドル１２６の底部分１５０の少なくとも一部が、アッパー１０２（図３）の底面の対応する土踏まず領域に、または土踏まずミッドソール補強構造２２１（図８）に留められる（例えば、縫合、接着、接合されるなど）。
【００２３】
サドル１２６は、様々な公知の材料または材料の組み合わせから作られ得、様々な構成（例えば、大きさ、形状、厚さなど）で実装され得る。サドル１２６は、アッパー１０２の中間部分を補強し、靴１００のこの区域に向上した支持および安定性を提供する。様々な実施形態において、サドル１２６は、所望の強度、補強および／または可撓性特質を達成するように、当該技術分野において公知の様々な材料（例えば、熱可塑性ポリウレタンまたはポリウレア（ＴＰＵ）、ゴム、皮革、合成皮革、繊維、およびポリウレタンまたはポリウレア（ＰＵ）、あるいは、例えばカーボンファイバ、あるいは、これらの材料の任意の組み合わせ）から作られ得る。
【００２４】
図６は、本発明の１つの実施形態に従って、結合部材１２０の断面側面図を示している。図６に示されているように、結合部材１２０は、リールベースの紐システム１１４（図１）のワイヤ紐１１８が公知のリールベースの紐技術に従って挿通され得る第１のチャンネル１６０を含む。結合部材１２０は、ワイヤループ１２４がスロット１６４を介して挿入され得る第２のチャンネル１６２をさらに含む。スロット１６４は、第２のチャンネル１６２の直径より小さい高さを有し、その結果、一旦ワイヤループ１２４が第２のチャンネル１６２内へ挿入されると、スロット１６４のより小さい高さは、第２のチャンネル１６２の外へのワイヤループ１２４の移動を妨げるかまたは抵抗する。
【００２５】
図７は、上述されているような、結合部材１２０を介して巻付きサドルアセンブリ１２２に結合されるリールベースの紐システム１１４の斜視拡大図を示している。図７に示されているように、リールベースの紐システム１１４は、ワイヤ紐１１８を巻き入れるかまたは巻き出すためのリールアセンブリ１１６を含み、ワイヤ紐１１８は、複数の結合部材１２０の各第１のチャンネル１６０内に受容される。サドルアセンブリ１２２の各ワイヤループ１２４も、結合部材１２０の各第２のチャンネル１６２内に受容される。したがって、結合部材１２０は、リールベースの紐システム１１４を巻付きサドルアセンブリに結合する。図７において、各結合部材１２０が、各結合部材１２０内に包含されているワイヤを可視化するために部分的に透明なものとして示されている。
【００２６】
１つの実施形態において、サドル１２６は、縫合１７０によって示されているようにアッパー１０２上にサドル１２６を縫い付けることによってアッパー１０２上に付けられる。しかしながら、サドル１２６は、任意の所望の形式（例えば、縫合、接着、接合など）でアッパー１０２の１つ以上の部分に留められるかまたは緩く結合され得ることを理解されたい。さらに図７に示されているように、サドル１２６内に形成される長手方向グルーブがサドル１２６と下にあるアッパー１０２との間の各チャンネル１７２を形成し、ワイヤループ１２４の一部は、それぞれ、チャンネル１７２を通って、アッパー１０２の側部分および底部分を進んでその周りに巻付き得る。１つの実施形態において、縫合１７０は、各ワイヤループ１２４をそれらのそれぞれのチャンネル１７２内に包含するための外部境界を形成する。上述されているように、リールアセンブリ１１６がワイヤ紐１１８を巻き入れるように回されると、ワイヤループ１２４は、結合部材１２０を介してアッパー１０２の側部分および底部分周りで引き締められ、それによって、着用者の土踏まずおよび中足区域の周りにぴったりしたフィット性を提供する。
【００２７】
図８は、本発明の１つの実施形態に従って、ゴルフ靴２００の側面図を示している。ゴルフ靴２００は、上述されている靴１００と類似する多くの特徴（例えば、アッパー１０２、リールアセンブリ１１６、ワイヤ紐１１８、少し改変された結合部材１２０’および紐ガイド１２１’、複数のワイヤループ１２４と巻付きサドル１２６とを有する巻付きサドルアセンブリ１２２）を有する。簡潔さのために、これらの共通する要素および特徴は、図８に再び記載されない。
【００２８】
図８に示されているように、ゴルフ靴２００は、前方ソール部分２０４と、ヒールソール部分２０６と、より詳細に後述されるように前方ソール部分２０４およびヒールソール部分２０６を相互に結合する土踏まずソール部分２０８とを有するソール２０２をさらに含む。前方ソール部分２０４は、前方ミッドソール２１０を含み、前方ミッドソール２１０は、アッパー１０２の前方部分の底面と、前方ミッドソール２１０の底面に取り付けられる前方アウトソール２１２との間に挟まれる。前方ミッドソール補強構造２１４が前方ミッドソール２１０の上部部分に取り付けられ、前方ミッドソール補強構造２１４は、前方ミッドソール２１０の上部部分を囲み、そこでは、前方ミッドソール２１０がアッパー１０２の底面に接触する。前方ミッドソール補強構造２１４の一部は、前方アウトソール２１２の一部に留められ、それにより、前方ミッドソール２１０を囲む補強フレームを提供する。前方ミッドソール補強構造２１４は、任意の公知技術（例えば、接合、接着、ねじを用いた締着など）を使用して前方アウトソール２１２に留められ得るか、または、代替的に、公知の射出成形技術を使用して共に一体形成され得る。１つの実施形態において、前方ミッドソール補強構造２１４および前方アウトソールは、前方ミッドソール補強構造２１４および前方アウトソール２１２によってカバーされる前方ミッドソール２１０のそれぞれの部分が崩壊するかまたは外方向に実質的に伸ばされるのを実質的に妨げる相対的に密なエチルビニルアセテート（ＥＶＡ）または熱可塑性ポリウレタン（ＴＰＵ）材料から作られることが可能であり、それによって、増大した強度および安定性を前方ミッドソール２１０に提供する。
【００２９】
同様に、ヒールソール部分２０６は、ヒールミッドソール２１６を含み、ヒールミッドソール２１６は、アッパー１０２のヒール部分の底面と、ヒールミッドソール２１６の底面に取り付けられるヒールアウトソール２１８との間に挟まれる。ヒールミッドソール補強構造２２０がヒールミッドソール２１６の上部部分に取り付けられ、ヒールミッドソール補強構造２２０は、ヒールミッドソール２１６の上部部分を囲み、そこでは、ヒールミッドソール２１６がアッパー１０２のヒール部分の底面に接触する。ヒールミッドソール補強構造２２０の一部は、ヒールアウトソール２１８の一部に留められ、それにより、ヒールミッドソール２１６を囲む補強フレームを提供する。ヒールミッドソール補強構造２２０は、任意の公知技術（例えば、接合、接着、ねじを用いた締着など）を使用してヒールアウトソール２１８に留められ得るか、または、代替的に、公知の射出成形技術を使用して共に一体形成され得る。１つの実施形態において、ヒールミッドソール補強構造２２０およびヒールアウトソール２１８は、ヒールミッドソール補強構造２２０およびヒールアウトソール２１８によってカバーされるヒールミッドソール２１６のそれぞれの部分が崩壊するかまたは外方向に実質的に伸ばされるのを実質的に妨げる相対的に密なエチルビニルアセテート（ＥＶＡ）または熱可塑性ポリウレタン（ＴＰＵ）材料から作られることが可能であり、それによって、増大した強度および安定性をヒールミッドソール２１６に提供する。
【００３０】
図８にさらに示されているように、本発明の１つの実施形態に従って、ゴルフ靴２００は、横切って跨っておりかつ前方アウトソール部分２１２をヒールアウトソール部分２１８に接続する土踏まずアウトソール２１９を含む土踏まずソール部分２０８をさらに含む。本発明の１つの実施形態に従って、土踏まずソール部分２０８は、土踏まずミッドソールをさらに含み、土踏まずミッドソールは、土踏まずミッドソール補強構造２２１、および土踏まずミッドソール補強構造と土踏まずアウトソール部分２１９との間の窓部２２２によって囲まれる。１つの実施形態において、図８に示されているように、サドル１２６は、窓部２２２（すなわち、空気の空間）がサドル１２６の底面と土踏まずアウトソール部分２１９との間に形成されるように土踏まずミッドソールおよび補強構造２２１周りに巻付く。窓部２２２は、サドル１２６がアッパー１０２の側面および底面周りに完璧に巻付くことを可能にし、上述されているように、ワイヤ紐１１８およびワイヤループ１２４が緩められるかまたは引き締められるにつれてサドル１２６の膨張および縮小をさらに可能にする。窓部２２２は、靴２００の土踏まず領域に対する増大した湾曲と、靴２００の前方部分とヒール部分との間のねじれとを可能にする。言い換えると、前方部分およびヒール部分は、より容易に相互にひねることが可能である。より詳細に後述されるように、靴２００の前方部分とヒール部分との間のねじれの量を相殺および／または制御するために、土踏まずアウトソール２１９（別名、ねじれ制御ブリッジ）が提供される。
【００３１】
土踏まずアウトソール部分２１９は、相互にアッパー１０２の前方部分およびヒール部分のひねりに抵抗するので、更なる安定性およびねじれ制御を靴２００の中間セクションに提供する。土踏まずアウトソール部分２１９の厚さ、剛性および／または物理的材料特質を調節することによって、所望の量のねじれ制御が達成されることが可能である。さらに、土踏まずアウトソール部分２１９は、アウトソールの全長が地面に接することを可能にし、したがって、靴２００の全長に沿った牽引力を提供する。土踏まずアウトソール部分２１９は、地面に接触する増大したアウトソール表面領域をさらに提供し、それによって、増大した牽引力を提供する一方で、依然として、所望のレベルの靴のねじれ／ひねりを可能にする。したがって、土踏まずアウトソール部分２１９は、前方アウトソール部分２１２とヒールアウトソール部分２１８との間にねじれ制御ブリッジを提供し、ねじれ制御ブリッジは、靴２００の前方部分およびヒール部分が、所望の程度（しかし、所望の量を実質的に超えない程度）に相互に独立して移動することを可能にする。土踏まずアウトソール部分２１９は、地面に接触するアウトソールの長さおよび表面領域をさらに増大させ、それにより、スポーツ活動中に、増大した牽引力を提供する。
【００３２】
図８において、土踏まずミッドソールが土踏まずミッドソール補強構造によって中または周囲に包含されるので、土踏まずミッドソールおよびその周囲の土踏まずミッドソール補強構造の両方が構造２２１として集合的に示されている。１つの実施形態において、土踏まずミッドソールおよび周囲の土踏まずミッドソール補強構造２２１は、アッパー１０２の底面の中間部分にわたって延在し、それにより、本発明の１つの実施形態に従って、靴２００の土踏まず領域内に更なる支持および安定性を提供する。土踏まずミッドソール補強構造２２１は、アッパー１０２の土踏まず領域の下に位置する、相対的に硬くない材料（例えば、ｅＴＰＵ）から作られる土踏まずミッドソールを囲んで包含する相対的に硬いフレームまたはハウジングを提供する。巻付きサドル１２６は、土踏まずミッドソールおよび土踏まずミッドソール補強構造２２１周りに巻付き、１つの実施形態において、それらに固定されるかまたは付けられる。１つの実施形態において、図８に示されているように、前方ミッドソール補強構造２１４、ヒールミッドソール補強構造２２０、土踏まずミッドソール補強構造２２１は、それぞれ、相互に一体形成され、アッパー１０２の底面の実質的に全体にわたって延在する。
【００３３】
１つの実施形態において、上述されている前方ミッドソール２１０およびヒールミッドソール２１６ならびに土踏まずミッドソールは、発泡（ｅｘｐａｎｄｅｄ）ＴＰＵ（ｅＴＰＵ）材料（別名、ＢｏｏｓｔＴＭフォーム）から作られることが可能である。様々な実施形態に従ってミッドソールおよび／またはアウトソール層を形成するために使用することに適している熱可塑性ポリウレタン（ＴＰＵ）に基づくそのようなｅＴＰＵまたは他のフォームが、米国特許出願公開番号２０１０／０２２２４４２Ａ１により詳細に説明されており、この公開公報は、参照により、その全体が本明細書に援用される。加えて、発泡剤（ｂｌｏｗｉｎｇ  ａｇｅｎｔ）または推進剤として水を使用するｅＴＰＵの生産についての例示的な方法は、米国特許出願公開番号２０１２／００６５２８５Ａ１に説明されており、この出願公報は、参照により、その全体が本明細書に援用される。いくつかの実施形態において、ミッドソール層は、米国特許出願公開番号２０１０／００４７５５０Ａ１に説明されているような、ＰＵのマトリックスおよびＴＰＵの発泡（ｆｏａｍｅｄ）粒子または他の熱可塑性エラストマを備えるハイブリッド材料を備えることが可能であり、この出願公報は、参照により、その全体が本明細書に援用される。
【００３４】
ミッドソール材料としてＢｏｏｓｔＴＭフォームを使用することのいくつかの例示的な利点は、それが軽量であることであり、スイング中の滑らかなエネルギー移行を促進する優れたエネルギーリターンまたはリバウンド特質を具備する。ＢｏｏｓｔＴＭフォームは、さらに、より軽量の靴をもたらし、これにより、特に着用者がゴルフコースを歩行している場合に、着用者に対する疲労をさらに軽減させる。ＢｏｏｓｔＴＭフォームは、さらに、零下の寒さから過酷な暑さまでの動的温度範囲にわたって一貫した応答性の良いクッション性を提供し、それによって、どんな天候においてもその有利な特質を維持する。
【００３５】
代替的な実施形態において、巻付きサドルアセンブリ１２２は、省略され得、靴は、従来の紐システムまたはリールベースの紐システムを利用し得る。この実施形態において、上述されているように、土踏まずアウトソール部分２１９は、依然として、向上した牽引力、安定性およびねじれ制御を靴に提供するように機能することが可能である。
【００３６】
１つの実施形態において、土踏まずアウトソール部分２１９は、前方アウトソール部分２１２およびヒールアウトソール部分２１８と一体成形され、上述されている同一のアウトソール材料から作られる。代替的な実施形態において、土踏まずアウトソール部分２１９が分離されて、靴２００の異なる所望のパフォーマンス特性を達成する異なる物理的特性を有する様々な異なる土踏まずアウトソール部分（示されていない）と交換され得るように、土踏まずアウトソール部分２１９は、同一または異なる材料から作られ得、前方アウトソール部分２１２およびヒールアウトソール部分２１６に機械的に取り付けられ得る。
【００３７】
図９は、本発明の１つの実施形態に従って、図８のゴルフ靴２００に関連して利用されることが可能であるアウトソール２５０の底面を示している。図９に示されているように、アウトソール２５０は、（より明るい領域として示されている）内部領域２５４を囲む（より暗い領域として示されている）周辺領域２５２を有する。１つの実施形態において、周辺領域２５２を形成するために使用される寸法（例えば、厚さ）および／または材料（単数または複数）は、内部領域２５４と比較したときにより強い剛度および耐久性を提供する。周辺領域２５２のより強い剛度および耐久性は、増大した支持および強度を靴２００の周辺フレームに提供し、そして、相対的により大きい牽引要素２５６および２５８がアウトソール２５０の周辺領域２５２上に形成されるかまたはそこに付けられることを可能にし、それにより、増大した牽引力を提供する。
【００３８】
複数の相対的により小さい牽引要素２６０は、内部領域２５４の底面から外向きに延在し、それにより、周辺領域２５２上のより大きい牽引要素２５６および２５８によって提供される牽引力を補う更なる牽引力を提供する。内部領域２５４は、複数の穴２６２をさらに含み、複数の穴２６２は、ミッドソール材料（例えば、ＢｏｏｓｔＴＭ）が穴２６２を通して拡大することを可能にし、これは、ミッドソール材料のより大きい変形、したがってミッドソール２１０および２１６の向上した「緩衝」特質を可能にする。穴２６２は、さらに、アウトソール２５０の内部領域２５４の重量を有意に減少させ、これは、特に着用者が長距離歩行する場合に、着用者に対する疲労を軽減させる。
【００３９】
図９にも示されているように、サドル１２６およびワイヤループ１２４を備える巻付きサドルアセンブリ１２２は、土踏まずアウトソール部分２１９の真上に位置し、それらの間にミッドソール材料は挟まれない。上述されているように、土踏まずアウトソール部分２１９と巻付きサドルアセンブリ１２２との間の開空間の窓部２２２（図８）は、上述されているような、サドル１２６およびワイヤループ１２４がアッパー１０２の側面および底面周りに完璧に巻付くことと、リールベースの紐システム１１４（図１）を使用して引き締められるかまたは緩められることとを可能にする。
【００４０】
様々な実施形態において、牽引要素２５６、２５８および２６０は、様々な方法で形成され得るか、または当該技術分野において公知の様々な材料から作られ得る。１つの実施形態において、例えば、牽引要素２５６、２５８および２６０は、ＧｒｉｐＭｏｒｅＴＭ技術を使用して形成され得、ここで、複数のクリートおよび／または牽引要素が、アウトソール（単数または複数）２０８、２１２、および／または２１８の底面上のそれぞれの対応する牽引域の大きさおよび形状に合うように切断されて形づけられる可撓繊維布またはメッシュ織物裏張りの底面に取り付けられ得る。ＧｒｉｐＭｏｒｅＴＭ技術は、台湾国公開第ＴＷ  Ｍ４１２６３６Ｕ１号により詳細に説明されており、この出願公報の全体が、参照により、本明細書に援用される。
【００４１】
１つの実施形態において、繊維布またはメッシュ裏張りは、各牽引域に対応するアウトソールの対応する大きさおよび形状の凹凸の底面にしっかりと粘着される。次いで、複数のデュロメータプラスチッククリートが、公知技術によって所定の場所に永久的に保持されるように、繊維布内へ射出される。例えば、高耐久ＴＰＲ（熱可塑性ゴム）製であることが可能であるクリートは、軽量だが丈夫なメッシュ織物裏張り上へ射出され、固定ボンド用の業務用粘着剤を用いて付けられる。射出されたクリートを有するメッシュ裏打ちは、次いで、（一般的にはＴＰＵから作られる）アウトソール内の予め画定された領域内へ据え付けられ、スポーツ活動要件のとおりに必要な牽引要素を形成するように所定の場所に接着される。
【００４２】
様々な実施形態において、可撓繊維布またはメッシュ裏張りは、公知のプラスチック、ゴムあるいは他の可撓な耐久性材料、またはそのような材料の任意の組み合わせから作られることが可能である。様々な実施形態において、クリートまたは牽引要素は、適したポリウレタン（ＰＵ）材料から作られることが可能である。可撓繊維布は、アウトソールの底面内の予め作られた凹凸に取り付けられるように切断されて形づけられることが可能である。可撓繊維布は、接着、接合などの任意の適した手段によってアウトソールの底面に永久的に取り付けられることが可能である。
【００４３】
ＧｒｉｐＭｏｒｅＴＭクリート技術は、クリートを要求する靴に多くの利点を提供する。繊維布は、任意のクリートまたは牽引要素構成を提供するように、無制限に、所望されるように、理想的に形づけられ、予め形成され、設置されることが可能である。加えて、クリートを受容して固定するための従来のクリートレセプタクル構造は、もはや要求されないので、ゴルフ靴の製造コストおよび重量は、有意に減少する。さらに、クリートレセプタクル構造は、もはや要求されないので、アウトソールの底面上のクリートの大きさおよび配置は、ミッドソール層内のレセプタクル構造の利用可能な空間によってもはや限定されない。
【００４４】
本発明の様々な実施形態に従って、本明細書に説明されている靴の様々な要素は、所望のパフォーマンス、耐久性および快適特性を達成する公知の適した材料から作られることが可能である。例えば、１つの実施形態において、アッパー１０２は、通気性極細繊維皮革または同様の材料から作られ得、所望の特性および特質を達成するようにアッパーの様々な部分において厚さを変化させる。別の例として、上述されているアウトソールは、ＥＶＡまたはＴＰＵ材料から作られ得、１つ以上のタイプの熱可塑性ポリウレタン（ＴＰＵ）と併せて射出成形されることが可能である。上述されているミッドソールは、前方アウトソール部分およびヒールアウトソール部分の各ＴＰＵ型内へＰＵまたはＢｏｏｓｔＴＭフォーム材料を注ぐことによって形成されることが可能である。したがって、ミッドソール層およびアウトソール層を備える、本明細書に説明されているソールは、ソールにわたっていて牽引要素を垂れ下がる様式で支持する単一の剛性プラットホームを有する従来のゴルフ靴ソールと比較して、増大した快適性およびパフォーマンスを提供することが可能である。
【００４５】
注がれたミッドソールは、ゴルファーの足の下に耐久性はあるが軟らかく快適な領域を提供することが可能であり、セメントまたは他の剛性粘着材料なしに射出成形アウトソールに直接接合することが可能である。下部アウトソールは、耐久性はあるが可撓性の材料を備えることが可能であり、相互から独立して支持される様々な牽引要素を含むことが可能であり、それにより、それらの牽引要素がゴルフスイング全体にわたって湾曲して個々に動くことが可能となり、この結果、より多くの牽引要素が常時地面と接触し、ゴルファーの足が動作の更なる自由さおよび更なる快適性を有することを可能にする。加えて、本明細書に説明されているソールは、軽量重合材料の使用、セメントなしの構成材料の直接接合、他の従来のプラットホーム構成要素の欠如、および他の特質により、従来のソールより軽い可能性がある。
【００４６】
1つの実施形態において、ミッドソールは、中間粘着材料なしにアウトソールに直接接合されることが可能である。ミッドソールは、様々なフォームおよびハイブリッド材料（ＰＵのマトリックス、およびＴＰＵまたはｅＴＰＵの発泡粒子など）を備えることが可能である。本発明に従って、様々なソールおよびソールを作る方法が利用され得、それらなどは、２０１３年１０月２８日に出願された米国仮出願第６１／８９６，４４２号に対する優先権を主張している、２０１４年１０月１４日に出願された米国特許出願第１４／５１３，５８２号に説明されており、これら両方の出願は、参照により、その全体が本明細書に援用される。これらの前記出願において、本明細書に「ミッドソール」と言及されているものが「上部アウトソール」と言及されていることに留意されたい。更なる実施形態において、ゴルフ靴のソールは、米国公開番号２０１３／０２９１４０９Ａ１に説明されている様々な材料層から作られ得、この公開公報の全体が、参照により、本明細書に援用される。
【００４７】
上述されている様々な実施形態は、ミッドソールに対するＢｏｏｓｔＴＭフォーム材料の使用に焦点を当てているが、本発明の他の実施形態は、ミッドソールに対して特定のタイプの材料を使用することに限定されず、ミッドソールは、ＴＰＵ、ゴム、ＥＶＡなどまたはそのような材料の組み合わせなどの他の適した材料から作られることが可能である。
【００４８】
加えて、本明細書に説明されている靴の他の構成要素または要素は、当業者に公知の任意の技術を使用して任意の適した材料または材料の組み合わせから作られることが可能である。例えば、ワイヤ紐１１８およびワイヤループ１２４は、所与の活動に対する所望の強度および耐久性特質を有する任意の適した材料または材料の組み合わせ（例えば、スチール、プラスチックなど）から作られることが可能である。１つの実施形態において、ワイヤ紐１１８および１２４は、ナイロンコーティングされたステンレススチールから作られる。
【００４９】
向上した中足および土踏まずの支持ならびにカスタマイズ可能なフィット性および／または靴の中足領域下の増大したねじれ制御ならびに牽引力を有する靴を提供する、本発明の様々な例示的な実施形態が上述された。本明細書に説明されている様々な実施形態は、限定としてではなく、単なる一例として提示されたことを理解されたい。同様に、提示された様々な図面またはダイヤグラムは、一例の設計、構造または構成を示しており、これらは、本発明の１つ以上の実施形態に従って、様々な両靴において含まれる可能性がある概念、特徴および機能性を理解するのを助けるためになされる。本発明は、示された例示的な設計、構造または構成に限定されないが、特定のスポーツ活動（例えば、ゴルフ、野球、陸上競技など）または特定の用途に所望されるパフォーマンス特性に応じて、様々な代替的な設計、構造または構成を使用して実装されることが可能である。
【００５０】
加えて、個々の実施形態のうちの１つ以上に説明されている様々な特徴および機能性は、それらが説明されている特定の実施形態に対するそれらの適用可能性に限定されないが、代わりに、そのような実施形態が明示的に説明されていようとなかろうとおよび特定の説明された実施形態の一部としてそのような特徴が提示されていようとなかろうと、単独またはいくつかの組み合わせで、本発明の他の実施形態のうちの１つ以上に適用されることが可能であることを理解されたい。したがって、本発明の幅および範囲は、上述されている例示的な実施形態のいずれによっても限定されるべきではないが、請求項と一致する範囲が与えられるべきである。
【図１】
2016221232.tif 000003
【図２】
2016221232.tif 000004
【図３】
2016221232.tif 000005
【図４】
2016221232.tif 000006
【図５】
2016221232.tif 000007
【図６】
2016221232.tif 000008
【図７】
2016221232.tif 000009
【図８】
2016221232.tif 000010
【図９】
2016221232.tif 000011